(57)【要約】【課題】特定者のライフサイクルに合わない代理者の操作に制限をかけることができる遠隔操作制御装置、遠隔操作制御方法および遠隔操作制御システムを提供する。【解決手段】検出部５２は、特定領域内に設置された機器を該特定領域外から遠隔操作可能な特定者と、該特定者を代理して機器を遠隔操作可能な代理者とが行動を共にしているか否かを検出する。送信部５３は、検出部５２による検出結果に基づいて、機器に対する遠隔操作要求の送信先を特定者か代理者か選択し、選択した送信先に遠隔操作要求を送信する。【選択図】図２
2016025601.tif 000002
【特許請求の範囲】
【請求項１】
特定領域内に設置された機器を該特定領域外から遠隔操作可能な特定者と、該特定者を代理して前記機器を遠隔操作可能な代理者とが行動を共にしているか否かを検出する検出部と、
前記検出部による検出結果に基づいて、前記機器に対する遠隔操作要求の送信先を前記特定者か前記代理者か選択し、選択した送信先に遠隔操作要求を送信する送信部と、
有することを特徴とする遠隔操作制御装置。
【請求項２】
前記送信部は、前記検出部により前記特定者と前記代理者とが行動を共にしていると検出されると、前記特定者を送信先とし、前記検出部により前記特定者と前記代理者とが行動を共にしていないと検出されると、前記代理者を送信先とする
ことを特徴とする請求項１に記載の遠隔操作制御装置。
【請求項３】
前記送信部は、前記特定者に前記機器に対する遠隔操作要求を送信し、当該特定者から遠隔操作要求に対する応答が得られない場合、前記検出部による検出結果に基づいて、送信先を選択して、選択した送信先に遠隔操作要求を再度送信する
ことを特徴とする請求項１または２に記載の遠隔操作制御装置。
【請求項４】
前記特定領域内に設けられた検出機器による前記特定者が使用する履物に設けられた短距離無線通信機器の検出結果に基づいて、前記特定者が前記特定領域内にいるかを判定する判定部をさらに有し、
前記送信部は、前記判定部により前記特定者が前記特定領域内にいないと判定された場合、前記検出部による検出結果に基づいて、送信先を選択する
ことを特徴とする請求項１〜３の何れか１つに記載の遠隔操作制御装置。
【請求項５】
前記検出部は、前記特定者および前記代理者の位置情報、または、前記特定者および前記代理者のスケジュール情報に基づいて、前記特定者と前記代理者とが行動を共にしているか否かを検出することを特徴とする請求項１〜３の何れか１つに記載の遠隔操作制御装置。
【請求項６】
特定領域内に設置された機器を該特定領域外から遠隔操作可能な特定者と、該特定者を代理して前記機器を遠隔操作可能な代理者とが行動を共にしているか否かを検出し、
検出結果に基づいて、前記機器に対する遠隔操作要求の送信先を前記特定者か前記代理者か選択し、選択した送信先に遠隔操作要求を送信する
処理をコンピュータが実行することを特徴とする遠隔操作制御方法。
【請求項７】
特定領域内に設置され、遠隔操作が可能とされた機器と、
前記機器を前記特定領域外から遠隔操作可能な特定者と、該特定者を代理して前記機器を遠隔操作可能な代理者とが行動を共にしているか否かを検出する検出部と、前記検出部による検出結果に基づいて、前記機器に対する遠隔操作要求の送信先を前記特定者か前記代理者か選択し、選択した送信先に遠隔操作要求を送信する送信部と、有することを特徴とする遠隔操作制御装置と、
備えたことを特徴とする遠隔操作制御システム。
【発明の詳細な説明】
【技術分野】
【０００１】
本発明は、遠隔操作制御装置、遠隔操作制御方法および遠隔操作制御システムに関する。
【背景技術】
【０００２】
近年、住宅の消費電力を低減する技術が提案されている。例えば、住宅に付設された需要メータが、車に取り付けられたブルートゥース（登録商標）装置との通信状態から住宅に、住居者などの特定者が在宅しているか不在かを検出し、特定者が不在の場合、住宅内の電化製品の電源オフなど変更を行う技術がある。
【先行技術文献】
【特許文献】
【０００３】
【特許文献１】特開２０１２−１９１８３９号公報
【特許文献２】特開２００８−２２５８２３号公報
【発明の概要】
【発明が解決しようとする課題】
【０００４】
しかし、従来の技術では、特定者が不在の場合、需要メータが住宅内の電化製品の電源オフなどの変更を行うと、特定者が意図しない電化製品まで電源がオフされてしまう場合がある。
【０００５】
そこで、例えば、特定者が不在となった場合は、特定者の所持する携帯機器に電化製品の状態を通知して遠隔操作させることが考えられる。また、例えば、特定者から応答が得られない場合は、特定者を代理可能な代理者の所持する携帯機器に電化製品の状態を通知して遠隔操作を行わせることが考えられる。
【０００６】
しかしながら、特定者から応答が得られない場合に、代理者に遠隔操作を行わせることが好ましくない場合がある。例えば、特定者の意図しない操作が代理者により行われてしまう場合がある。
【０００７】
本発明は、一側面では、特定者のライフサイクルに合わない代理者の操作に制限をかけることができる遠隔操作制御装置、遠隔操作制御方法および遠隔操作制御システムを提供することを目的とする。
【課題を解決するための手段】
【０００８】
１つの態様では、遠隔操作制御装置は、検出部と、送信部と有する。検出部は、特定領域内に設置された機器を該特定領域外から遠隔操作可能な特定者と、該特定者を代理して機器を遠隔操作可能な代理者とが行動を共にしているか否かを検出する。送信部は、検出部による検出結果に基づいて、機器に対する遠隔操作要求の送信先を特定者か代理者か選択し、選択した送信先に遠隔操作要求を送信する。
【発明の効果】
【０００９】
本発明の一側面によれば、特定者のライフサイクルに合わない代理者の操作に制限をかけることができる。
【図面の簡単な説明】
【００１０】
【図１】図１は、遠隔操作制御システムのシステム構成の一例を説明する図である。
【図２】図２は、遠隔操作制御装置の機能的な構成の一例を示す図である。
【図３】図３は、靴情報のデータ構成の一例を示す図である。
【図４】図４は、ユーザログイン情報のデータ構成の一例を示す図である。
【図５】図５は、ユーザ管理ＩＤ情報のデータ構成の一例を示す図である。
【図６】図６は、ユーザ機器情報のデータ構成の一例を示す図である。
【図７】図７は、機器情報のデータ構成の一例を示す図である。
【図８】図８は、送信先情報のデータ構成の一例を示す図である。
【図９】図９は、機器の動作状態を表示した動作状態画面の一例を示す図である。
【図１０】図１０は、機器の遠隔操作画面の一例を示す図である。
【図１１】図１１は、遠隔操作制御処理の手順の一例を示すフローチャートである。
【図１２】図１２は、遠隔操作制御システムを実行するコンピュータを示す図である。
【発明を実施するための形態】
【００１１】
以下に、本発明にかかる遠隔操作制御装置、遠隔操作制御方法および遠隔操作制御システムの実施例を図面に基づいて詳細に説明する。なお、この実施例によりこの発明が限定されるものではない。そして、各実施例は、処理内容を矛盾させない範囲で適宜組み合わせることが可能である。
【実施例１】
【００１２】
［システム構成］
最初に、実施例１に係る遠隔操作制御システムの一例を説明する。図１は、遠隔操作制御システムのシステム構成の一例を説明する図である。遠隔操作制御システム１０は、特定領域内に設置された機器の遠隔操作を制御するシステムである。本実施例では、住宅１１内に設置された設置された機器１７の遠隔操作を制御する場合を例に説明する。図１に示すように、遠隔操作制御システム１０は、検出機器１２と、遠隔操作制御装置１３と有する。
【００１３】
検出機器１２は、住宅１１に住居者が在宅しているか不在かの検出を行う装置である。例えば、検出機器１２は、ブルートゥース（登録商標）などの短距離無線および無線ＬＡＮ（Local  Area  Network）通信が可能なルータなどの装置である。なお、検出機器１２は、ルータとは別の装置であってもよい。検出機器１２は、無線ＬＡＮにより遠隔操作制御装置１３と通信可能とされている。また、検出機器１２は、外部ネットワーク１４と接続されている。外部ネットワーク１４の一態様としては、有線または無線を問わず、携帯電話などの移動体通信、インターネット（Internet）、ＬＡＮやＶＰＮ（Virtual  Private  Network）などの任意の種類の通信網を採用できる。検出機器１２は、遠隔操作制御装置１３が外部ネットワーク１４と通信を行う場合、当該通信を中継する。
【００１４】
住宅１１内の各居住者が使用する履物には、それぞれ個別の識別情報が記憶され、ブルートゥース（登録商標）などの短距離無線が可能な短距離無線通信機器１６が設けられている。例えば、住宅１１内の各居住者の靴１５には、短距離無線通信機器１６として、ブルートゥース（登録商標）の通信モジュールが設けられている。
【００１５】
検出機器１２は、短距離無線通信を行って靴１５に設けられた短距離無線通信機器１６の検出を行う。例えば、短距離無線通信機器１６が、短距離無線通信としてブルートゥース（登録商標）を使用し、電波強度  Class  1で通信する場合、検出機器１２は、最大で半径約１００ｍの範囲まで短距離無線通信機器１６を検出できる。検出機器１２は、短距離無線通信を行って短距離無線通信機器１６を検出すると、検出された短距離無線通信機器１６の識別情報を遠隔操作制御装置１３へ通知する。居住者が靴１５を履いて外出した場合、外出に使用された靴１５の短距離無線通信機器１６は、検出機器１２と短距離無線通信ができなくなる。検出機器１２は、靴１５に設けられた短距離無線通信機器１６と短距離無線通信ができるか否かにより、住居者が在宅しているか不在かの検出を行う。検出機器１２は、短距離無線通信機器１６と短距離無線通信ができなくなると、当該短距離無線通信機器１６の識別情報を遠隔操作制御装置１３へ通知しなくなる。遠隔操作制御装置１３は、検出機器１２から識別情報が通知されなくなることにより、住居者が不在となったことを検出し、通知されなくなった識別情報から居住者のうち、外出した特定者を特定する。
【００１６】
住宅１１内には、遠隔操作が可能な機器１７が設置されている。ここで、家電機器など住宅１１に設置される各種の機器１７には、外部から遠隔操作を可能にする標準規格が策定されている。このような標準規格としては、例えば、「ＥＣＨＯＮＥＴ  Ｌｉｔｅ」がある。この標準規格に対応している機器１７は、通信機能を有しており、規格に従ったプロトコルを用いることにより遠隔操作が可能である。例えば、このような機器１７としては、照明装置や、エアコン、給湯機などがある。なお、図１の例では、煩雑となるため、機器１７を１つのみ図示しているが、機器１７の数はこれに限定されるものではない。
【００１７】
遠隔操作制御装置１３は、機器１７の遠隔操作を可能とする装置である。遠隔操作制御装置１３は、例えば、パーソナルコンピュータやサーバコンピュータなどのコンピュータなどである。例えば、コンピュータに「ＥＣＨＯＮＥＴ  Ｌｉｔｅ」に対応したプログラムをインストールして実行させることにより、コンピュータを遠隔操作制御装置１３として機能させる。遠隔操作制御装置１３は、１台のコンピュータとして実装してもよく、また、複数台のコンピュータによる実装してもよい。なお、本実施例では、遠隔操作制御装置１３を１台のコンピュータとして設けた場合を例として説明する。
【００１８】
住宅１１の各居住者は、それぞれ携帯端末２０を所持する。この携帯端末２０は、例えば、携帯電話機、スマートフォン、タブレット端末、ＰＤＡ（Personal  Digital  Assistant）などである。本実施例では、携帯端末２０として、居住者がスマートフォンを所持する場合を例として説明する。なお、図１の例では、煩雑となるため、携帯端末２０を１つのみ図示しているが、携帯端末２０の数はこれに限定されるものではない。携帯端末２０は、基地局２１と通信が可能とされ、基地局２１を介して外部ネットワーク１４と通信可能とされている。携帯端末２０は、ＧＰＳ（Global  Positioning  System）受信器を内蔵し、現在位置の検出が可能とされている。なお、現在位置の検出方法は、ＧＰＳに限定されるものではなく、複数の基地局２１との通信強度や、設置されたＷｉｆｉ（Wireless  Fidelity）機器などから検出してもよい。
【００１９】
外部ネットワーク１４には、サーバ２２が設けられている。サーバ２２には、各携帯端末２０の位置情報が収集されて記憶さており、サーバ２２に対して問い合わせを行うことにより、各携帯端末２０の現在位置を把握することが可能とされている。各携帯端末２０の位置情報は、一定時間毎など所定のタイミングで各携帯端末２０がサーバ２２へ通知してもよく、所定のタイミングでサーバ２２が各携帯端末２０へ問合わせを行って各携帯端末２０から取得してもよい。
【００２０】
遠隔操作制御装置１３は、居住者のうち、外出した特定者の携帯端末２０へ遠隔操作要求を送信する。特定者は、遠隔操作要求に応じて携帯端末２０を操作して機器１７の遠隔操作を行う。
【００２１】
［遠隔操作制御装置の構成］
次に、実施例１に係る遠隔操作制御装置１３の構成について説明する。図２は、遠隔操作制御装置の機能的な構成の一例を示す図である。図２に示すように、遠隔操作制御装置１３は、通信Ｉ／Ｆ（インタフェース）部３０と、記憶部３１と、制御部３２とを有する。なお、遠隔操作制御装置１３は、図２に示した機能部以外にも既知のコンピュータが有する各種の機能部を有することとしてもかまわない。例えば、遠隔操作制御装置１３は、各種の情報を表示する表示部や、各種の情報を入力する入力部を有してもよい。
【００２２】
通信Ｉ／Ｆ部３０は、他の装置との間で通信制御を行うインタフェースである。通信Ｉ／Ｆ部３０としては、ＬＡＮカードなどのネットワークインタフェースカードを採用できる。
【００２３】
通信Ｉ／Ｆ部３０は、外部ネットワーク１４を介して他の装置と各種情報を送受信する。例えば、通信Ｉ／Ｆ部３０は、機器１７と各種情報を送受信が可能とされており、機器１７から動作状態に関する情報を受信する。また、通信Ｉ／Ｆ部３０は、機器１７へ遠隔操作に関する情報を送信する。また、通信Ｉ／Ｆ部３０は、サーバ２２と各種情報を送受信が可能とされており、サーバ２２から各携帯端末２０の現在位置を示す位置情報を受信する。
【００２４】
記憶部３１は、各種のデータを記憶する記憶デバイスである。例えば、記憶部３１は、ハードディスク、ＳＳＤ（Solid  State  Drive）、光ディスクなどの記憶装置である。なお、記憶部３１は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。
【００２５】
記憶部３１は、制御部３２で実行されるＯＳ（Operating  System）や各種プログラムを記憶する。例えば、記憶部３１は、後述する遠隔操作制御処理を実行するプログラムを含む各種のプログラムを記憶する。さらに、記憶部３１は、制御部３２で実行されるプログラムで用いられる各種データを記憶する。例えば、記憶部３１は、靴情報４０と、ユーザログイン情報４１と、ユーザ管理ＩＤ（identification）情報４２と、ユーザ機器情報４３と、機器情報４４と、送信先情報４５とを記憶する。
【００２６】
靴情報４０は、住宅１１に居住する各住居者の靴１５に関する情報を記憶したデータである。例えば、靴情報４０には、靴１５毎に、靴１５を使用する居住者が対応付けて記憶されている。
【００２７】
図３は、靴情報のデータ構成の一例を示す図である。図３に示すように、靴情報４０は、「靴ＩＤ」、「持ち主」の各項目を有する。靴ＩＤの項目は、靴１５を識別する識別情報を記憶する領域である。靴１５には、それぞれを識別する識別情報が付与される。本実施例では、靴１５に設けられた短距離無線通信機器１６に当該靴１５に付与された識別情報が記憶され、検出機器１２から短距離無線通信により短距離無線通信機器１６に記憶された識別情報が読み取り可能とされている。靴ＩＤの項目には、靴１５に設けられた短距離無線通信機器１６に記憶された識別情報が記憶されている。持ち主の項目は、靴１５を使用する居住者を記憶する領域である。
【００２８】
図３の例では、靴ＩＤ「１」は、持ち主が「父」であることを示す。また、靴ＩＤ「２」は、持ち主が「母」であることを示す。
【００２９】
ユーザログイン情報４１は、居住者のログイン情報に関する情報を記憶したデータである。ここで、遠隔操作制御装置１３をパーソナルコンピュータなどのコンピュータとした場合、コンピュータに記憶された情報にアクセスするため、居住者のログイン情報を用いてコンピュータにログインを行う。ユーザログイン情報４１には、コンピュータにログインするための情報が記憶されている。なお、本実施例では、居住者のログイン情報を用いて遠隔操作制御装置１３にログインするが、遠隔操作制御システム１０用のログイン情報を遠隔操作制御装置１３に登録しておき、遠隔操作制御システム１０用のログイン情報を用いて遠隔操作制御装置１３にログインしてもよい。
【００３０】
図４は、ユーザログイン情報のデータ構成の一例を示す図である。図４に示すように、ユーザログイン情報４１は、「持ち主」、「ＩＤ／Ｐａｓｓ」の各項目を有する。持ち主の項目は、コンピュータのユーザである居住者を記憶する領域である。ＩＤ／Ｐａｓｓの項目は、居住者のログインＩＤおよびパスワードを記憶する領域である。
【００３１】
図４の例では、持ち主「父」は、ログインＩＤが「Ａ」であり、パスワードが「ａａａ」であることを示す。また、持ち主「母」は、ログインＩＤが「Ｂ」であり、パスワードが「ｂｂｂ」であることを示す。
【００３２】
ユーザ管理ＩＤ情報４２は、遠隔操作制御システム１０における居住者に関する情報を記憶したデータである。ユーザ管理ＩＤ情報４２には、遠隔操作を行うために遠隔操作制御システム１０で設定されたログインＩＤおよびパスワードが記憶されている。
【００３３】
図５は、ユーザ管理ＩＤ情報のデータ構成の一例を示す図である。図５に示すように、ユーザ管理ＩＤ情報４２は、「持ち主」、「ＩＤ／Ｐａｓｓ」の各項目を有する。持ち主の項目は、遠隔操作制御システム１０のユーザである居住者を記憶する領域である。ＩＤ／Ｐａｓｓの項目は、居住者のログインＩＤおよびパスワードを記憶する領域である。
【００３４】
図５の例では、持ち主「父」は、ログインＩＤが「００１」であり、パスワードが「１１１」であることを示す。また、持ち主「母」は、ログインＩＤが「００２」であり、パスワードが「２２２」であることを示す。
【００３５】
ユーザ機器情報４３は、居住者が遠隔操作可能な機器１７に関する情報を記憶したデータである。居住者には、機器１７が対応付けられる。例えば、居住者には、自身の部屋に設けられた照明やエアコンなどが遠隔操作可能な機器１７として対応付けられる。なお、居住者に対応付けられる機器１７は、当該居住者自身の部屋に設けられたものに限られるものではない。例えば、「父」、「母」など住宅１１を全般的に管理する居住者には、住宅１１内のあらゆる機器１７を対応付けてもよい。ユーザ機器情報４３には、居住者毎に、居住者に対応付けられた機器１７が記憶されている。
【００３６】
図６は、ユーザ機器情報のデータ構成の一例を示す図である。図６に示すように、ユーザ機器情報４３は、「ＩＤ／Ｐａｓｓ」、「家電機器」の各項目を有する。ＩＤ／Ｐａｓｓの項目は、機器１７を対応付ける居住者のログインＩＤおよびパスワードを記憶する領域である。「家電機器」の項目は、対応付ける機器１７を記憶する領域である。
【００３７】
図６の例では、ログインＩＤが「００１」であり、パスワードが「１１１」である居住者には、ＰＣ１（Ａ）、エアコン１、エアコン２、エアコン３が対応付けられていることを示す。また、ログインＩＤが「００２」であり、パスワードが「２２２」である居住者には、ＰＣ２（Ｂ）、エアコン２、エアコン３が対応付けられていることを示す。
【００３８】
機器情報４４は、各機器１７に関する情報を記憶したデータである。例えば、機器情報４４は、各機器１７の動作状態などの情報が記憶されている。
【００３９】
図７は、機器情報のデータ構成の一例を示す図である。図７に示すように、機器情報４４は、「家電」、「電源」、「運転モード」、「照明レベル」の各項目を有する。家電の項目は、各機器１７を示す情報を記憶する領域である。本実施例では、家電の項目に、機器１７を示す情報として、機器１７の名称を格納している。電源の項目は、機器１７の電源がＯＮであるか、ＯＦＦであるかの電源状態を記憶する領域である。運転モードの項目は、機器１７がどのようなモードであるかを記憶する領域である。運転モードの項目には、機器１７にモードがある場合、モードが格納され、モードがない場合、省略される。照明レベルの項目は、機器１７が照明であり、電源がＯＮである場合の照明の点灯状態を示すレベルを記憶する領域である。照明レベルの項目には、機器１７が照明機器である場合、照明レベルが格納され、照明機器以外の場合、省略される。照明レベルは、明るいほど高い数値とされている。
【００４０】
図７の例では、家電「エアコン１」は、電源が「ＯＮ」であり、運転モードが「暖房」であり、照明レベルが「−」と省略されていることを示す。また、家電「エアコン２」は、電源が「ＯＦＦ」であり、運転モードが「自動」であり、照明レベルが「−」と省略されていることを示す。
【００４１】
送信先情報４５は、遠隔操作要求の送信先に関する情報を記憶したデータである。送信先情報４５には、遠隔操作要求の送信先として、居住者と、居住者を代理して遠隔操作可能な代理者の登録が可能とされている。
【００４２】
図８は、送信先情報のデータ構成の一例を示す図である。図８に示すように、送信先情報４５は、「ＩＤ／Ｐａｓｓ」、「通知先」の各項目を有する。通知先の項目は、「ユーザ本人」、「代理者」の項目に分かれている。ＩＤ／Ｐａｓｓの項目は、居住者のログインＩＤおよびパスワードを記憶する領域である。ユーザ本人の項目は、居住者本人の連絡先を記憶する領域である。代理者の項目は、居住者を代理して機器１７を遠隔操作させる代理者の連絡先を記憶する領域である。ユーザ本人および代理者の項目には、遠隔操作要求の送信先となる連絡先を記憶させる。例えば、ユーザ本人および代理者の項目には、居住者や代理者が所持する携帯端末２０に連絡可能なメールアドレスが記憶される。また、代理者の項目は、複数登録することも可能とされている。
【００４３】
図８の例では、ログインＩＤが「００１」であり、パスワードが「１１１」である居住者は、本人へ連絡する場合の通知先が「携帯１」であり、代理者へ連絡する場合の通知先が「携帯２」であることを示す。また、ログインＩＤが「００２」であり、パスワードが「２２２」である居住者は、本人へ連絡する場合の通知先が「携帯２」であることを示す。また、ログインＩＤが「００２」であり、パスワードが「２２２」である居住者は、代理者が２つ登録されており、代理者へ連絡する場合の通知先が「携帯１」と「携帯３」であることを示す。
【００４４】
図２に戻り、制御部３２は、遠隔操作制御装置１３を制御するデバイスである。制御部３２としては、ＣＰＵ、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部３２は、各種の処理手順を規定したプログラムや制御データを格納するための内部メモリを有し、これらによって種々の処理を実行する。制御部３２は、各種のプログラムが動作することにより各種の処理部として機能する。例えば、制御部３２は、更新部５０と、判定部５１と、検出部５２と、送信部５３とを有する。
【００４５】
更新部５０は、各種のデータの更新を行う。例えば、更新部５０は、各機器１７の動作状態の情報を取得し、取得した情報を基づいて、機器情報４４に記憶された各機器１７の動作状態を更新する。各機器１７の動作状態の情報は、一定時間毎、動作状態が切り替わるタイミングなど所定のタイミングで各機器１７が遠隔操作制御装置１３へ通知してもよく、所定のタイミングで更新部５０が各機器１７へ問合わせを行って各機器１７から取得してもよい。
【００４６】
判定部５１は、居住者が不在であるか否かを判定する。判定部５１には、検出機器１２から靴１５の識別情報が通知される。ここで、通常、居住者は、外出する場合、当該居住者の靴１５を着用して屋外へ出る。このため、居住者が外出すると、当該居住者の靴１５が検出機器１２に検出されなくなる。例えば、居住者が外出すると、図１に示すように、居住者の靴１５の短距離無線通信機器１６が検出機器１２と通信可能な領域から外れて、短距離無線通信機器１６が検出機器１２に検出されなくなる。そこで、判定部５１は、検出機器１２から通知される識別情報を順次比較する。判定部５１は、比較の結果、何れかの識別情報が通知されなくなった場合、通知されなくなった識別情報の靴１５の使用する居住者が外出して不在となった判定する。そして、判定部５１は、靴情報４０に基づき、通知されなくなった識別情報から居住者のうち、不在となった特定者を特定する。例えば、識別情報「１」が通知されなくなった場合、判定部５１は、「父」を不在となった特定者と特定する。判定部５１は、不在と特定された特定者のＩＤ／Ｐａｓｓをユーザログイン情報４１から求め、求めたＩＤ／Ｐａｓｓを用いて、遠隔操作制御装置１３にログインし、遠隔操作制御装置１３の制御権を取得する。
【００４７】
検出部５２は、不在となった特定者が、当該特定者の代理者と行動を共にしているか否かを検出する。例えば、検出部５２は、判定部５１により不在と特定された特定者のＩＤ／Ｐａｓｓを管理ＩＤ情報４２から求める。検出部５２は、求めたＩＤ／Ｐａｓｓを用いて、送信先情報４５から、特定者および代理者の携帯端末２０を求める。検出部５２は、サーバ２２に対して問い合わせを行い、サーバ２２から特定者および代理者の携帯端末２０の位置情報を取得する。そして、検出部５２は、取得した特定者および代理者の携帯端末２０の位置情報に基づいて、特定者と代理者とが行動を共にしているか否かを検出する。例えば、検出部５２は、特定者の携帯端末２０の位置と代理者の携帯端末２０の位置との距離が、行動を共にしている見なせる所定距離以内である場合、特定者と代理者とが行動を共にしていると検出する。
【００４８】
送信部５３は、不在となった特定者に対応付けられた機器１７に対する遠隔操作要求を送信する。例えば、送信部５３は、特定者のＩＤ／Ｐａｓｓを用いて、ユーザ機器情報４３から特定者に対応付けられた機器１７を求める。送信部５３は、機器情報４４から、特定者に対応付けられた機器１７の動作状態の情報を求める。そして、送信部５３は、求めた特定者に対応付けられた機器１７についての動作状態の情報を含んだ、当該機器１７に対する遠隔操作要求を送信する。例えば、送信部５３は、最初に、特定者の携帯端末２０へ、特定者に対応付けられた機器１７に対する遠隔操作要求を送信する。特定者から遠隔操作要求に対する応答が得られない場合、送信部５３は、検出部５２による検出結果に基づいて、送信先を選択して、選択した送信先に遠隔操作要求を再度送信する。例えば、送信部５３は、特定者と代理者とが行動を共にしていると検出されると、特定者を送信先として特定者の携帯端末２０へ遠隔操作要求を送信する。一方、送信部５３は、特定者と代理者とが行動を共にしていないと検出されると、代理者を送信先として代理者の携帯端末２０へ遠隔操作要求を送信する。
【００４９】
ここで、遠隔操作要求に応じて携帯端末２０に表示される画面の一例を説明する。図９は、機器の動作状態を表示した動作状態画面の一例を示す図である。動作状態画面６０には、特定者に対応付けられた機器１７の動作状態が一覧表示されている。携帯端末２０は、この動作状態画面６０を表示した場合、遠隔操作要求を確認した旨を遠隔操作制御装置１３へ送信する。図９の例では、キッチンの給湯器が運転中であり、リビングのエアコン１が運転中であり、リビングの照明１が点灯中であり、寝室のエアコン２が状態不明であることが示されている。動作状態画面６０は、それぞれの機器１７の選択が可能とされており、機器１７が選択されると、選択された機器１７の遠隔操作画面が表示される。
【００５０】
図１０は、機器の遠隔操作画面の一例を示す図である。遠隔操作画面７０には、選択された機器１７の詳細な動作状態および操作メニューが表示される。図１０の例は、エアコン１についての遠隔操作画面を表示させた例である。図１０の例では、動作状態として、動作が運転中であり、室温が２４℃であり、温度設定が２３℃であることが示されている。また、図１０の例では、操作メニューとして、電源のＯＮ、ＯＦＦを切り替え可能なボタンと、運転モード、温度設定を指示する指示領域が設けられている。遠隔操作画面７０は、指示領域が選択されると、指示内容を選択するための選択画面が表示され、選択画面から指示内容の選択が可能とされている。携帯端末２０は、遠隔操作画面７０で選択された操作内容を、遠隔操作要求に対する応答として、遠隔操作制御装置１３へ送信する。
【００５１】
図２に戻り、送信部５３は、遠隔操作要求に対応する応答が得られた場合、応答に応じて、機器１７に対する遠隔操作の命令を送信する。これにより、遠隔操作制御システム１０は、住宅１１の居住者が外出した場合でも、住宅１１内の機器１７の遠隔操作を行うことができる。
【００５２】
［処理の流れ］
本実施例に係る遠隔操作制御装置１３が機器１７の遠隔操作制御する遠隔操作制御処理の流れについて説明する。図１１は、遠隔操作制御処理の手順の一例を示すフローチャートである。この遠隔操作制御処理は、所定のタイミング、例えば、何れかの靴１５の識別情報が通知されなくなったタイミングで実行される。
【００５３】
図１１に示すように、判定部５１は、靴情報４０に基づき、通知されなくなった識別情報から居住者のうち、不在となった特定者を特定する（Ｓ１０）。検出部５２は、不在と特定された特定者のＩＤ／Ｐａｓｓを管理ＩＤ情報４２から求める（Ｓ１１）。検出部５２は、特定者のＩＤ／Ｐａｓｓを用いて、送信先情報４５から、特定者および代理者の携帯端末２０を求める（Ｓ１２）。
【００５４】
送信部５３は、特定者のＩＤ／Ｐａｓｓを用いて、ユーザ機器情報４３から特定者に対応付けられた機器１７を求める（Ｓ１３）。送信部５３は、機器情報４４から、特定者に対応付けられた機器１７の動作状態の情報を求める（Ｓ１４）。送信部５３は、特定者の携帯端末２０へ、機器１７の動作状態の情報を含んだ、当該機器１７に対する遠隔操作要求を送信する（Ｓ１５）。
【００５５】
送信部５３は、特定者の携帯端末２０から遠隔操作要求を確認した旨が通知されたか否かを判定する（Ｓ１６）。遠隔操作要求を確認した旨が通知されない場合（Ｓ１６否定）、送信部５３は、遠隔操作要求を送信してから一定時間を経過したか否かを判定する（Ｓ１７）。遠隔操作要求を送信してから一定時間を経過していない場合（Ｓ１７否定）、上述のＳ１６へ移行する。
【００５６】
遠隔操作要求を確認した旨が通知された場合（Ｓ１６肯定）、送信部５３は、遠隔操作要求に対する応答が得られたか否かを判定する（Ｓ１８）。応答が得られない場合（Ｓ１８否定）、遠隔操作要求を確認した旨が通知されてから一定時間を経過したか否かを判定する（Ｓ１９）。この一定時間は、Ｓ１７の判定で用いた一定時間と同じであってもよく、異なってもよい。遠隔操作要求を確認した旨が通知されてから一定時間を経過していない場合（Ｓ１９否定）、処理を上述のＳ１８へ移行する。一方、遠隔操作要求を確認した旨が通知されてから一定時間を経過した場合（Ｓ１９肯定）、処理を終了する。
【００５７】
応答が得られた場合（Ｓ１８肯定）、送信部５３は、得られた応答に応じて、機器１７に対する遠隔操作の命令を送信し（Ｓ２０）、処理を終了する。
【００５８】
一方、遠隔操作要求を送信してから一定時間を経過した場合（Ｓ１７肯定）、検出部５２は、サーバ２２に対して問い合わせを行い、サーバ２２から特定者および代理者の携帯端末２０の位置情報を取得する（Ｓ２１）。検出部５２は、取得した特定者および代理者の携帯端末２０の位置情報に基づいて、特定者と代理者とが行動を共にしているか否かを検出する（Ｓ２２）。
【００５９】
特定者と代理者とが行動を共にしていない場合（Ｓ２２否定）、送信部５３は、代理者の携帯端末２０へ遠隔操作要求を送信する（Ｓ２３）。送信部５３は、代理者の携帯端末２０から遠隔操作要求を確認した旨が通知されたか否かを判定する（Ｓ２４）。遠隔操作要求を確認した旨が通知されない場合（Ｓ２４否定）、送信部５３は、遠隔操作要求を送信してから一定時間を経過したか否かを判定する（Ｓ２５）。この一定時間は、Ｓ１７、Ｓ１９の判定で用いた一定時間と同じであってもよく、異なってもよい。遠隔操作要求を送信してから一定時間を経過していない場合（Ｓ２５否定）、上述のＳ２４へ移行する。一方、遠隔操作要求を送信してから一定時間を経過した場合（Ｓ２５肯定）、処理を終了する。
【００６０】
代理者から遠隔操作要求を確認した旨が通知された場合（Ｓ２４肯定）、送信部５３は、遠隔操作要求に対する応答が得られたか否かを判定する（Ｓ２６）。応答が得られた場合（Ｓ２６肯定）、上述のＳ２０へ移行する。一方、応答が得られない場合（Ｓ２６否定）、遠隔操作要求を確認した旨が通知されてから一定時間を経過したか否かを判定する（Ｓ２７）。この一定時間は、Ｓ１７、Ｓ１９、Ｓ２５の判定で用いた一定時間と同じであってもよく、異なってもよい。遠隔操作要求を確認した旨が通知されてから一定時間を経過していない場合（Ｓ２７否定）、処理を上述のＳ２６へ移行する。一方、遠隔操作要求を確認した旨が通知されてから一定時間を経過した場合（Ｓ２７肯定）、処理を終了する。
【００６１】
一方、特定者と代理者とが行動を共にしている場合（Ｓ２２肯定）、送信部５３は、特定者の携帯端末２０へ遠隔操作要求を再度送信する（Ｓ２８）。送信部５３は、特定者の携帯端末２０から遠隔操作要求を確認した旨が通知されたか否かを判定する（Ｓ２９）。遠隔操作要求を確認した旨が通知されない場合（Ｓ２９否定）、送信部５３は、遠隔操作要求を送信してから一定時間を経過したか否かを判定する（Ｓ３０）。この一定時間は、Ｓ１７、Ｓ１９、Ｓ２５、Ｓ２７の判定で用いた一定時間と同じであってもよく、異なってもよい。遠隔操作要求を送信してから一定時間を経過していない場合（Ｓ３０否定）、上述のＳ２９へ移行する。一方、遠隔操作要求を送信してから一定時間を経過した場合（Ｓ３０肯定）、処理を終了する。
【００６２】
特定者から遠隔操作要求を確認した旨が通知された場合（Ｓ２９肯定）、送信部５３は、遠隔操作要求に対する応答が得られたか否かを判定する（Ｓ３１）。応答が得られた場合（Ｓ３１肯定）、上述のＳ２０へ移行する。一方、応答が得られない場合（Ｓ３１否定）、遠隔操作要求を確認した旨が通知されてから一定時間を経過したか否かを判定する（Ｓ３２）。遠隔操作要求を確認した旨が通知されてから一定時間を経過していない場合（Ｓ３２否定）、処理を上述のＳ３１へ移行する。一方、遠隔操作要求を確認した旨が通知されてから一定時間を経過した場合（Ｓ３２肯定）、処理を終了する。
【００６３】
［効果］
上述してきたように、本実施例に係る遠隔操作制御装置１３は、特定領域内に設置された機器１７を該特定領域外から遠隔操作可能な特定者と、該特定者を代理して機器１７を遠隔操作可能な代理者とが行動を共にしているか否かを検出する。遠隔操作制御装置１３は、検出結果に基づいて、機器１７に対する遠隔操作要求の送信先を特定者か代理者か選択し、選択した送信先に遠隔操作要求を送信する。このように、遠隔操作制御装置１３は、特定者と代理者とが行動を共にしているか否かの検出結果に基づいて、特定者か代理者か選択して遠隔操作要求を送信するので、特定者のライフサイクルに合わない代理者の操作に制限をかけることができる。
【００６４】
また、本実施例に係る遠隔操作制御装置１３は、特定者と代理者とが行動を共にしていると検出されると、特定者を送信先とし、特定者と代理者とが行動を共にしていないと検出されると、代理者を送信先とする。これにより、遠隔操作制御装置１３は、特定者と代理者が共にいる場合、代理者に遠隔操作を行わせることを抑制できるため、特定者のライフサイクルに合わない代理者の操作に制限をかけることができる。また、遠隔操作制御装置１３は、特定者と代理者が共にいない場合、代理者を送信先として遠隔操作要求を送信することで、機器１７の不要の動作を制限させることができるため、消費電力を低減することができる。
【００６５】
また、本実施例に係る遠隔操作制御装置１３は、特定者に機器１７に対する遠隔操作要求を送信し、当該特定者から遠隔操作要求に対する応答が得られない場合、検出結果に基づいて、送信先を選択して、選択した送信先に遠隔操作要求を再度送信する。これにより、遠隔操作制御装置１３は、まず特定者へ遠隔操作要求することで、特定者に機器１７を操作させることができる。また、遠隔操作制御装置１３は、特定者から応答が得られない場合、検出結果に基づいて送信先を選択することで、特定者のライフサイクルに合わない代理者の操作に制限しつつ、機器１７の消費電力を低減させることができる。
【００６６】
また、本実施例に係る遠隔操作制御装置１３は、特定領域内に設けられた検出機器１２による特定者が使用する履物に設けられた短距離無線通信機器の検出結果に基づいて、特定者が特定領域内にいるかを判定する。そして、本実施例に係る遠隔操作制御装置１３は、特定者が特定領域内にいないと判定された場合、検出結果に基づいて、送信先を選択する。これにより、遠隔操作制御装置１３は、特定者が外出したかを精度よく検出できる。特に、履物は、特定者が外出する場合に、特定者が履いていくため、特定者の外出の検出に適している。
【００６７】
また、本実施例に係る遠隔操作制御装置１３は、特定者および代理者の位置情報に基づいて、特定者と前記代理者とが行動を共にしているか否かを検出する。これにより、遠隔操作制御装置１３は、特定者と前記代理者とが行動を共にしているか否かを精度よく検出できる。
【実施例２】
【００６８】
さて、これまで開示の装置に関する実施例について説明したが、開示の技術は上述した実施例以外にも、種々の異なる形態にて実施されてよいものである。そこで、以下では、本発明に含まれる他の実施例を説明する。
【００６９】
例えば、上記の実施例では、サーバ２２に各携帯端末２０の位置情報を収集して記憶さておき、遠隔操作制御装置１３がサーバ２２から携帯端末２０の位置情報を取得する場合について説明したが、開示の装置はこれに限定されない。例えば、遠隔操作制御装置１３が各携帯端末２０から位置情報を直接取得してもよい。携帯端末２０の位置情報は、一定時間毎など所定のタイミングで各携帯端末２０が遠隔操作制御装置１３へ通知してもよく、遠隔操作制御装置１３が各携帯端末２０へ問合わせを行って各携帯端末２０から取得してもよい。
【００７０】
また、上記の実施例では、特定者と代理者の携帯端末２０の位置情報から特定者と代理者と行動を共にしているか否かを検出する場合について説明したが、開示の装置はこれに限定されない。例えば、各居住者のスケジュールが登録されたスケジュール情報が遠隔操作制御装置１３または他のサーバに記憶されている場合、スケジュール情報から特定者と代理者と行動を共にしているか否かを検出してもよい。例えば、検出部５２は、行動を共にしているか否かを検出する対象の日時に特定者と代理者に同じスケジュールが登録されていれば、行動を共にしているか否かを検出してもよい。また、スケジュール情報に外出予定の位置情報が登録されていれば、特定者と代理者の外出予定の位置情報から特定者と代理者と行動を共にしているか否かを検出してもよい。また、例えば、検出部５２は、特定者と代理者の携帯端末２０の何れか一方または両方から近隣のブルートゥース（登録商標）の識別情報を通知させて、通知された識別情報から特定者と代理者と行動を共にしているか否かを検出してもよい。例えば、検出部５２は、特定者と代理者の携帯端末２０の何れか一方から通知されたブルートゥース（登録商標）の識別別情報に他方の携帯端末２０の識別情報が含まれる場合、特定者と代理者と行動を共にしていると検出する。
【００７１】
また、上記の実施例では、特定者または代理者から遠隔操作要求を確認した旨が通知が得られない場合、周期的に、遠隔操作要求の送信を繰り返すようにしてもよい。
【００７２】
また、上記の実施例では、他の装置の異常の発生を検出する場合について説明したが、開示の装置はこれに限定されない。例えば、自装置の状態を示す検出値を検出することにより取得し、検出値から自装置の異常の発生を検出してもよい。
【００７３】
また、図示した各装置の各構成要素は機能概念的なものであり、必ずしも物理的に図示の如く構成されていることを要しない。すなわち、各装置の分散・統合の具体的状態は図示のものに限られず、その全部または一部を、各種の負荷や使用状況などに応じて、任意の単位で機能的または物理的に分散・統合して構成することができる。例えば、更新部５０、判定部５１、検出部５２および送信部５３の各処理部が適宜統合されてもよい。また、各処理部の処理が適宜複数の処理部の処理に分離されてもよい。さらに、各処理部にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００７４】
［遠隔操作制御システム］
また、上記の実施例で説明した各種の処理は、あらかじめ用意されたプログラムをパーソナルコンピュータやワークステーションなどのコンピュータシステムで実行することによって実現することもできる。そこで、以下では、上記の実施例と同様の機能を有するプログラムを実行するコンピュータシステムの一例を説明する。図１２は、遠隔操作制御システムを実行するコンピュータを示す図である。
【００７５】
図１２に示すように、コンピュータ３００は、ＣＰＵ（Central  Processing  Unit）３１０、ＨＤＤ（Hard  Disk  Drive）３２０、ＲＡＭ（Random  Access  Memory）３４０を有する。これら３００〜３４０の各部は、バス４００を介して接続される。
【００７６】
ＨＤＤ３２０には上記の更新部５０、判定部５１、検出部５２および送信部５３と同様の機能を発揮する遠隔操作制御システム３２０ａが予め記憶される。なお、遠隔操作制御システム３２０ａについては、適宜分離しても良い。
【００７７】
また、ＨＤＤ３２０は、各種情報を記憶する。例えば、ＨＤＤ３２０は、ＯＳや生産計画に用いる各種データを記憶する。
【００７８】
そして、ＣＰＵ３１０が、遠隔操作制御システム３２０ａをＨＤＤ３２０から読み出して実行することで、実施例の各処理部と同様の動作を実行する。すなわち、遠隔操作制御システム３２０ａは、更新部５０、判定部５１、検出部５２および送信部５３と同様の動作を実行する。
【００７９】
なお、上記した遠隔操作制御システム３２０ａについては、必ずしも最初からＨＤＤ３２０に記憶させることを要しない。
【００８０】
例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」にプログラムを記憶させておく。そして、コンピュータ３００がこれらからプログラムを読み出して実行するようにしてもよい。
【００８１】
さらには、公衆回線、インターネット、ＬＡＮ、ＷＡＮなどを介してコンピュータ３００に接続される「他のコンピュータ（またはサーバ）」などにプログラムを記憶させておく。そして、コンピュータ３００がこれらからプログラムを読み出して実行するようにしてもよい。
【符号の説明】
【００８２】
１０  遠隔操作制御システム
１１  住宅
１２  検出機器
１３  遠隔操作制御装置
１５  靴
１６  短距離無線通信機器
１７  機器
２０  携帯端末
３１  記憶部
３２  制御部
４０  靴情報
４１  ユーザログイン情報
４２  ユーザ管理ＩＤ情報
４３  ユーザ機器情報
４４  機器情報
４５  送信先情報
５０  更新部
５１  判定部
５２  検出部
５３  送信部
【図１】
2016025601.tif 000003
【図２】
2016025601.tif 000004
【図３】
2016025601.tif 000005
【図４】
2016025601.tif 000006
【図５】
2016025601.tif 000007
【図６】
2016025601.tif 000008
【図７】
2016025601.tif 000009
【図８】
2016025601.tif 000010
【図９】
2016025601.tif 000011
【図１０】
2016025601.tif 000012
【図１１】
2016025601.tif 000013
【図１２】
2016025601.tif 000014